(57)【要約】【課題】  ドライ式又はウェット式の切替過程を簡単化する、ドライ・ウェット式共用の切換え装置がある掃除機を提供する。【解決手段】  集塵ボックス２の吸込み口の前端に昇降ベース３、カバー４、ノブ５が入れられるコンケーブ空間２６を設ける。昇降ベース３の前端に水を掻取る板３１を設け、その中央に螺旋柱３２が設けられる。カバー４はコンケーブ空間２６の上方に設けられ、その端面にオープンホール４１が設けられる。ノブ５はオープンホール４１を貫通して、その下端にインナー螺旋パイプ５２が設けられ、そのインナー螺旋パイプ５２を昇降ベース３の螺旋柱３２と対応して締める。ノブ５を回して昇降ベース３の昇降変位を生じさせて吸込み口の開閉度を変更し、吸込み口が大きい開口状態を呈する場合、ドライ式集塵に適用し、吸込み口が小さい開口状態を呈する場合、ウェット式の集塵に適用する。【選択図】  図１
0003105278.tif 000002
【実用新案登録請求の範囲】
【請求項１】
ドライ・ウェット式共用の切換え装置がある掃除機において、掃除機本体の前端に一つの集塵ボックスが設けられ、その集塵ボックスの吸込み口に水を掻取る板付きの昇降ベース、カバー及びノブがそれぞれ一つ設けられ、
集塵ボックスがあり、その吸込み口は内部に伸びて、一つのインナーパイプが形成され、集塵ボックスの内部に一つの封鎖空間があり、吸込み口の前端に昇降ベース、カバー、ノブがそれぞれ一つ入れられるコンケーブ空間を設け、
昇降ベースがあり、それをマッチングで集塵ボックスのコンケーブ空間の中に設け、その前端に一つの水を掻取る板を設け、その中央に一つの螺旋柱が設けられ、
カバーがあり、それは吸込み口のコンケーブ空間の上方に設けられ、その端面に一つのオープンホールが設けられ、
ノブがあり、それはカバーのオープンホールを貫通して、その下端に一つのインナー螺旋パイプが設けられ、そのインナー螺旋パイプを昇降ベースの螺旋柱と対応して締め、
ノブを回して昇降ベースを制御し、昇降変位を生じさせて吸込み口の開閉度を変更し、その吸込み口の開閉度がより大きい開口状態を呈する場合、一般のドライ式集塵に適用し、吸込み口の開閉度がより小さい開口状態を呈する場合、水の掻取る板を露出してウェット式の集塵に切り換えて使用可能であることを特徴とするドライ・ウェット式共用の切換え装置がある掃除機。
【請求項２】
吸込み口はコンケーブ空間の内壁に一つの止め板が伸びて設けられ、その止め板の上に１個又は１個以上のガイド柱及び中に置く縦方向プレートを設け、昇降ベースは後端壁に一つの止め板が伸びて設けられ、その止め板の上に１個又は１個以上のガイドホール及び中に置く縦方向スロットを設け、そのガイドホール及び縦方向スロットはちょうどコンケーブ空間でのガイド柱及び縦方向プレートと対応して貫通することを特徴とする請求項１に記載のドライ・ウェット式共用の切換え装置がある掃除機。
【請求項３】
ノブの上端に一つのターニングプレートが設けられることを特徴とする請求項１に記載のドライ・ウェット式共用の切換え装置がある掃除機。
【請求項４】
吸込み口にはコンケーブ空間の内壁に一つ又は一つ以上のラッチスロットを設け、カバーには周辺壁の相対する位置に一つ又は一つ以上のラッチプレートを設け、そのラッチプレートはラッチスロットと嵌めて定位されることを特徴とする請求項１に記載のドライ・ウェット式共用の切換え装置がある掃除機。
【請求項５】
カバーは一体成型で吸込み口の上方に設けられることを特徴とする請求項１に記載のドライ・ウェット式共用の切換え装置がある掃除機。
【請求項６】
昇降ベースは一つの断面がL型を呈する板であることを特徴とする請求項１に記載のドライ・ウェット式共用の切換え装置がある掃除機。
【請求項７】
ノブの下端でのインナー螺旋パイプはパイプの壁面にプレスで１個又は１個以上の逆インサートプレートが構成されることを特徴とする請求項１に記載のドライ・ウェット式共用の切換え装置がある掃除機。
【請求項８】
ノブにはパイプ口に２個又は２個以上の縦断スロットを設けてあることを特徴とする請求項１に記載のドライ・ウェット式共用の切換え装置がある掃除機。
【考案の詳細な説明】
【技術分野】
【０００１】
本考案はドライ・ウェット式共用の切換え装置がある掃除機の設計に関するものである。それは何らかの外接の付属パーツを増設することが必要でなく、一つの水を掻取る板付きの昇降ベースを利用して昇降調整を行なうことで、吸込み口の開閉度を変更して、ドライ式又はウェット式の集塵に切り換えて使用できるものである。
【背景技術】
【０００２】
従来の手で握るドライ・ウェット式共用の掃除機は、ウェット式の吸込み機能に変更する場合、その外部に一つのウェット式専用のホース、又はその他ウェット式専用の吸込み付属パーツを増設してから、ウェット式の掃除機に変更することで、水、ミルク、その他の液体、又は液体と固体の混合物を吸込むことができる。上述の従来のドライ・ウェット式共用の掃除機は、別で外接の付属パーツを増設することが必要なので、外接の付属パーツの収納空間が増加するし、全体的な収納及び管理はすごく不便になる。特に、外接の付属パーツが紛失し易いので、ウェット式の掃除機に変更できない場合が多くなる。又、その使用機能を変更する場合、使用者自身が外接の付属パーツを取り外して切り換えることが必要なので、とても不便であるし、たくさんの時間が無駄にかかるので、合理的及び便利の目的を達成できないのである。
【考案の開示】
【考案が解決しようとする課題】
【０００３】
本考案の主要な目的は、集塵ボックスの吸込み口に水を掻取る板付きの昇降ベースを設けてあり、一つのノブで昇降ベースの昇降を調整することで、吸込み口の開閉度を変更して、快速にドライ式又はウェット式の集塵に切り換える操作を完了できるので、何らかの外接の付属パーツを増設することが必要ではないことにより、従来の外接の付属パーツを使う場合の困ることを徹底的に解決でき、更にドライ式又はウェット式の全体的な使用効果を向上でき、ドライ式又はウェット式の切替える過程を簡単化することができる、ドライ・ウェット式共用の切換え装置がある掃除機を提供することである。
【０００４】
本考案の次の目的は、集塵ボックスの吸込み口にガイド柱を設けてあり、昇降ベースに対応するガイドホールを設けてあるので、その昇降ベースを昇降する場合、もっと穏やかなガイド作用を生じることができる、ドライ・ウェット式共用の切換え装置がある掃除機を提供することである。
【０００５】
本考案の別の一つの目的は、昇降ベースに嵌めて設けてある水を掻取る板を更新、交換することができる、ドライ・ウェット式共用の切換え装置がある掃除機を提供することである。
【課題を解決するための手段】
【０００６】
これはドライ・ウェット式共用の切換え装置がある掃除機の設計である。特に、何らかの外接の付属パーツを増設することが必要ではなく、ドライ・ウェット式共用の切換え装置がある掃除機を指すものである。その切換え装置には、主に集塵ボックスの吸込み口に水を掻取る板付きの昇降ベースを設けてある。その昇降ベースは一つのノブを回して昇降ベースを制御することにより、昇降変位を生じ、その昇降ベースを利用して、吸込み口の開閉度を変更する。又、その吸込み口の開閉度がより大きい開口状態を呈する場合、一般のドライ式集塵に適用するが、その吸込み口の開閉度がより小さい開口状態を呈する場合、水の掻取る板を露出してウェット式の集塵に切り換えて使用できるのである。
【考案を実施するための最良の形態】
【０００７】
図１及び図２に示すのは、本考案の一実施例によるドライ・ウェット式共用の切換え装置がある掃除機の設計である。それは一つの掃除機本体１及び一つの前端に設けられる集塵ボックス２で構成される。その掃除機本体１は集塵ボックス２を含む他、その内部にろ過ネット、ファン、モーター、スイッチ、取っ手、又はバッテリーセットを含む従来のパーツで構成される。そのような従来のパーツ及び構成は、すべて掃除機の基本構成形態であるので、従来の範囲に所属するため、別で説明することが必要ではないが、本実施例でのドライ・ウェット式共用の切換え装置は集塵ボックス２の中に設けられる。又、それは主に集塵ボックス２の吸込み口２１に水を掻取る板３１付きの昇降ベース３、カバー４、ノブ５がそれぞれ一つ設けられる。
【０００８】
集塵ボックス２があり、その前端に一つの吸込み口２１が設けられ、その吸込み口２１は内部に伸びて、一つのインナーパイプ２２が形成され、掃除機を起動する場合、吸込み口２１を通して塵、ゴミを吸入する。又、集塵ボックス２の後端に順に一つの水止め層２３及び一つのダストろ過カバー２４を設けてあり、その水止め層２３の周辺に水止めシール２３１を設けてあるので、その水止め層２３を集塵ボックス２の中に入れる場合、一つの水の閉鎖性が良い封鎖空間２５を形成することで、水、液体又は液体と固体の混合物などを吸入して貯めることに用いられる。状あ仏の組み合わせる形態及び集塵原理は従来のものであるので、ここで詳しく説明しないが、吸込み口２１の前端に昇降ベース３、カバー４、ノブ５がそれぞれ一つ入れられるコンケーブ空間２６を設けてある。そのコンケーブ空間２６の内壁に一つの止め板２２１が伸びて設けられ、その止め板２２１の上に1個又は1個以上のガイド柱２２２及び中に置く縦方向プレート２２３を設けてある。
【０００９】
図３の通り、昇降ベース３があり、それは一つの断面がL型を呈する板である。それをマッチングで集塵ボックス２のコンケーブ空間２６の中に設けてある。その前端に一つの交換できる、水を掻取る板３１を嵌めて設けてあり、その中央に一つの螺旋柱３２が設けられる。その後端壁に一つの止め板３３が伸びて設けられ、その止め板３３の上に1個又は1個以上のガイドホール３３１及び中に置く縦方向スロット３３２を設けてあり、そのガイドホール３３１及び縦方向スロット３３２がちょうどコンケーブ空間２６でのガイド柱２２２及び縦方向プレート２２３と対応して貫通することで、昇降ベース３を昇降する場合、もっと正確的に穏やかなガイド作用を持たせることができる。
【００１０】
カバー４があり、それは吸込み口２１のコンケーブ空間２６の上方に設けられ、その端面に一つのオープンホール４１が設けられる。
ノブ５があり、それはカバー４のオープンホール４１を貫通して、そのノブの上端に一つのターニングプレート５１が設けられ、その下端に一つのインナー螺旋パイプ５２が形成され、そのインナー螺旋パイプ５２を昇降ベース３の螺旋柱３２と対応して締める。そのインナー螺旋パイプ５２の内壁にインナー螺旋部を設けてある他、そのパイプの内壁にプレスで1個又は1個以上の逆インサートプレート５２１を形成することで、ノブ５をカバー４のオープンホール４１に入れた後、逆インサートプレート５２１によってオープンホール４１の穴壁とラッチして定位することが形成されるので(図４の通り)、脱落のおそれが無いし、ノブ５を昇降ベース３の螺旋柱３２と組合わせた後、元の場所に回転するしかない。又、それを回転する場合、昇降ベース３を駆動して昇降の作動を生じさせる。
【００１１】
上述の切換え装置の組合わせによって、ノブ５で時計回り方向又は逆時計回り方向の回転をさせることで、昇降ベース３を制御して昇降変位を生じさせる。又、その昇降ベース３が極限までの位置に上がる場合(図５の通り)、吸込み口２１の開閉度が最大の状態を呈するので、一般のドライ式集塵に適用するが、昇降ベース３が極限までの位置に下がる場合(図６の通り)、吸込み口２１の開閉度が最小の状態を呈し、水の掻取る板３１を完全に露出するので、ウェット式の集塵に適用する。それによって、快速的に水、液体又は液体と固体の混合物などを取れるし、最大の吸引力でそれを吸入して集塵ボックス２の封鎖空間２５に貯めることができる(図７の矢印の指示通り)。
【００１２】
上述のインナー螺旋パイプ５２を螺旋柱３２と対応して締めて、完全に締めた状態になる場合、昇降ベース３は極限の位置に上がるが、逆時計回り方向でノブ５が極限まで回る時、昇降ベース３の止め板３３をコンケーブ空間２６に設けてある止めプレート２２１に止める状態が形成される。
【００１３】
上述の吸込み口２１のコンケーブ空間２６の周辺壁に一つ又は一つ以上のラッチスロット２６１をそれぞれ設けてある。又、カバー４には周辺壁の相対する位置に一つ又は一つ以上のラッチプレート４２を設けてあり、そのラッチプレート４２はラッチスロット２６１と嵌めて定位されるので、カバー４をしっかり吸込み口２１のコンケーブ空間２６の上方に組み合わせる。
【００１４】
上述の昇降ベース３の前端に設けられる水を掻取る板３１は、その昇降ベース３が極限の位置までに上がる場合(図５の通り)、完全に吸込み口２１の内壁に隠れるので、この場合、吸込み口２１の開閉度が最大の状態を呈し、一般のドライ式集塵に適用する。
上述のノブ５のインナー螺旋パイプ５２は、パイプの壁面にプラスで1個又は1個以上の逆インサートプレート５２１を設ける他、そのパイプ口に1個又は1個以上の縦断スロット５２２を設けることで、インナー螺旋パイプ５２のパイプ口に適切な弾性を持たせることができるので、快速的に昇降ベース３と組合わせる螺旋柱３２の中に嵌めて噛み合うことが形成される。
【００１５】
上述の実施例は、本考案の技術範囲を制限するものではないので、その他の同等な効果の変更、代わりの技術は、すべて同じな原理を運用するため、本考案の技術特徴に属することと思われる。例えば、必要な場合、カバー４を一体成型で吸込み口の上方に設けることができる。又、実施例のままではなく、昇降ベース３を水を掻取る板３１と組合わせることは、ロック又はその他の方法を使っても良いのである。
【００１６】
上述による、本考案はドライ・ウェット式共用の切換え装置がある掃除機の設計である。それはドライ・ウェットの機能を切替える装置で構成されるので、外接の付属パーツを完全に使わなくても良く、一つのノブで回すことで、簡単にドライ式又はウェット式の集塵に変更できるので、使用にはとても便利であるし、その構造が新しくて合理的であるので、実用及び進歩の効果を備えるものである。
【図面の簡単な説明】
【００１７】
【図１】本考案の一実施例による掃除機の主要なパーツの分解立体図である。
【図２】本考案の一実施例による掃除機の断面図である。
【図３】本考案の一実施例による掃除機の昇降ベース及び吸込み口の分解状態を示す模式図である。
【図４】本考案の一実施例による掃除機のノブ、カバー及び昇降ベースの組合せ状態を示す断面図である。
【図５】本考案の一実施例による掃除機の吸込み口の開閉度が最大の状態を示す断面図である。
【図６】本考案の一実施例による掃除機の吸込み口の開閉度が最小の状態を示す断面図である。
【図７】本考案の一実施例による掃除機をウェット式集塵に切替える使用状態を示す断面図である。
【符号の説明】
【００１８】
１  掃除機本体、２  集塵ボックス、３  昇降ベース、４  カバー、５  ノブ、２１  吸込み口、２２  インナーパイプ、２３  水止め層、２４  ダストろ過カバー、２５  封鎖空間、２６  コンケーブ空間、３１  水を掻取る板、３２  螺旋柱、３３  止め板、４１  オープンホール、４２  ラッチプレート、５１  ターニングプレート、５２  インナー螺旋パイプ、２２１  止めプレート、２２２  ガイド柱、２２３  縦方向プレート、２３１  水止めシール、２６１  ラッチスロット、３３１  ガイドホール、３３２  縦方向スロット、５２１  逆インサートプレート、５２２  縦断スロット
【図１】
0003105278.tif 000003
【図２】
0003105278.tif 000004
【図３】
0003105278.tif 000005
【図４】
0003105278.tif 000006
【図５】
0003105278.tif 000007
【図６】
0003105278.tif 000008
【図７】
0003105278.tif 000009